(57)【要約】【課題】主として要介護者の入浴用に供し、介護者が入浴者を浴槽から抱えて出入れする等の介護作業を省けると共に、介護者が要介護者の体を洗い流す等の介護作業を容易に行なえる浴槽を構成する。【解決手段】上部側を開放した外槽１と、上部並びに前部側を開放した内槽２と、内槽２を外槽１の槽内に収容支持する載置パレット３とを備え、内槽の昇降駆動機構４を外槽１と載置パレット３との間に組み付けると共に、内槽の進退駆動機構５を載置パレット３と昇降駆動機構４との間に組み付け、内槽２を外槽１の槽内底から槽内上部まで上昇し乃至は槽内上部から槽内底まで下降し、また、外槽１の槽内上部に位置する内槽２を前部底で外槽１の前部フランジに掛け渡すまで前進し乃至は前進位置から外槽１の槽内上部まで退却可能に構成する。【選択図】    図１
2004267503.tif 000002
【特許請求の範囲】
【請求項１】
上部側を開放した外槽と、上部並びに前部側を開放した内槽と、内槽を外槽の槽内に収容支持する載置パレットとを備え、内槽を外槽の槽内底から槽内上部まで上昇動し乃至は槽内上部から槽内底まで下降動する縦軸のスクリューシャフトによる昇降駆動機構を外槽と載置パレットとの間に組み付けると共に、外槽の槽内上部に位置する内槽を前部底で外槽の前部フランジに掛け渡すまで前進し乃至は前進位置から外槽の槽内上部まで退却動する横軸のスクリューシャフトによる進退駆動機構を載置パレットと昇降駆動機構との間に組み付けたことを特徴とする浴槽。
【発明の詳細な説明】
【０００１】
【発明の属する技術分野】
本発明は、主として要介護者の入浴用に供する浴槽に関するものである。
【０００２】
【従来の技術】
既存の浴槽は、上部を入浴者の出入り口として開放した所定高さを有する函形のものに形成されている。その浴槽では、高齢者や身障者等の介護を要する者（以下、単に「入浴者」という。）を入浴させるに際し、介護者が入浴者を抱えて槽内に入れ、また、槽外に抱え出すことが重労働になっている。
【０００３】
その用に供すべく、従来、開閉扉を浴槽の前壁に取り付けて出入り自在に構成するもの（特許文献１）、入浴者の出入り個所を低く形成し、ジャバラ状の上下に伸縮自在な浴槽枠を低く形成された上端部に備えるもの（特許文献２）、入浴者を乗せて浴槽と洗い場との間を移動する昇降駆動機構を備えるもの（特許文献３）、浴槽の前壁を二層に分け、入浴者に応じて前壁の高さを調整するもの（特許文献４）等が提案されている。
【０００４】
【特許文献１】
特開平３−２６２２１号公報
【特許文献２】
特開平７−２４１２５１号公報
【特許文献３】
特開平１０−３２８２６３号公報
【特許文献４】
特開平１１−７６３５１号公報
【０００５】
その提案されている浴槽では、まず、体を温め、次に、体を洗い、再度、体を温める如く入浴させる場合、体を洗う際には浴槽から洗い場に出す必要があるところから、介護者が入浴者を抱えて出入れする労力は省けない。
【０００６】
【発明が解決しようとする課題】
本発明は、主として要介護者の入浴用に供し、介護者が入浴者を浴槽から抱えて出入れする等の介護作業を省けると共に、介護者が要介護者の体を洗い流す等の介護作業を容易に行なえる浴槽を提供することを目的とする。
【０００７】
【課題を解決するための手段】
本発明に係る浴槽においては、上部側を開放した外槽と、上部並びに前部側を開放した略四面函形の内槽と、内槽を外槽の槽内に収容支持する載置パレットとを備え、内槽を外槽の槽内底から槽内上部まで上昇動し乃至は槽内上部から槽内底まで下降動する縦軸のスクリューシャフトによる昇降駆動機構を外槽と載置パレットとの間に組み付けると共に、外槽の槽内上部に位置する内槽を前部底で外槽の前部フランジに掛け渡すまで前進し乃至は前進位置から外槽の槽内上部まで退却動する横軸のスクリューシャフトによる進退駆動機構を載置パレットと昇降駆動機構との間に組み付けることにより構成されている。
【０００８】
【発明の実施の形態】
以下、添付図面を参照し説明すると、図示実施の形態に係る浴槽は、図１並びに図２で示すように上部側を開放した略五面函形の外槽１と、上部並びに前部側を入浴者の出入り口として開放した略四面函形の内槽２と、内槽２を外槽１の内部に収容支持する載置パレット３とを備え、内槽の載置パレット３をベースに、内槽２を外槽１の槽内で昇降動し、また、外槽１の上部側に位置する内槽２を前後動するよう構成されている。
【０００９】
外槽１は、プラスチック製或いはステンレス等の軽量で耐蝕性を有する金属製のもので、止水栓（図示せず）を底面に備えて湯水の出入れ可能な容器として形成されている。内槽２並びにパレット３は、強化プラスチックにより軽量で剛性を有するよう形成されている。内槽２には、湯水から受ける抵抗を少なくする湯水の出入りスリット（図示せず）を底面乃至は側面に設けるとよい。パレット３としては、内槽２の横幅より長くて前後幅より短い縦横桟を井桁状に一体成形したものを備えるとよい。
【００１０】
その浴槽は、縦軸のスクリューシャフト４０，４０’による内槽の昇降駆動機構４を外槽１と内槽載置パレット３との間に組み付け、横軸のスクリューシャフト５０，５０’による内槽の進退駆動機構５を内槽載置パレット３と内槽の昇降駆動機構４との間に組み付けることにより構成されている。
【００１１】
内槽の昇降駆動機構４は、内槽２を外槽１の槽内底から槽内上部まで上昇動し乃至は槽内上部から槽内底まで下降動するものとして組み付けられている。内槽の進退駆動機構５は、外槽１の上部に位置する内槽２を前部底で外槽１の前部フランジに掛け渡すまで前進し乃至は前進位置から外槽１の槽内上部まで退却動するものとして組み付けられている。
【００１２】
内槽２の昇降駆動機構４は、略四辺形に枠組みされた左右のサイドフレーム４１，４１’を外槽１の外部に備えて設置されている。スクリューシャフト４０，４０’は、サイドフレーム４１，４１’の中央位置で底板４１ａ，４１ａ’と天板４１ｂ，４１ｂ’との間に縦に立て付けて備えられている。このスクリューシャフト４０，４０’は、ベアリング軸受４２ａ，４２ｂ、４２ａ’，４２ｂ’で回転可能に軸承されている。また、ナット部材４３，４３’がスクリューシャフト４０，４０’の回転に伴って軸線上を上下動するよう備え付けられている。
【００１３】
そのスクリューシャフト４０，４０’には、サイドフレーム４１，４１’の底板４１ａ，４１ａ’に設置する可逆モータ４４，４４’が動力として備え付けられている。
【００１４】
その可逆モータ４４，４４’は、主動ギヤ４５ａ，４５ａ’をサイドフレーム４０，４０’の下部に突出するモータ軸の軸端に備え、この主動ギヤ４５ａ，４５ａ’をスクリューシャフト４０，４０’の軸端に備える従動ギヤ４５ｂ，４５ｂ’と噛合させてスクリューシャフト４０，４０’を回動するよう備え付けられている。主動ギヤ４５ａ，４５ａ’並びに従動ギヤ４５ｂ，４５ｂ’は、サイドフレーム４０，４０’の下部に設置されたギヤボックス４６，４６’の内部に収容配置されている。
【００１５】
ナット部材４３，４３’には、外槽１の上端縁から槽内に臨む上部フランジ４７ａ，４７ａ’を設けた立上りプレート４７，４７’が下部フランジ４７ｂ，４７ｂ’で取付け固定されている。この立上りプレート４７，４７’は、図３で示す（片側のみ）ようにナット部材４３を中央位置として両側のスライドリング４８ａ，４８ｂを下部フランジ４７ｂに取り付け、そのスライドリング４８ａ，４８ｂをサイドフレーム４１の底板４１ａと天板４１ｂとの間に立て付けるガイドポスト４９ａ，４９ｂの軸線上に嵌め合せることから上下に移動案内可能に支持されている。
【００１６】
載置パレット３と立上りプレート４７，４７’とは、載置パレット３の側端寄り板面と立上りプレート４７，４７’の上部フランジ４７ａ，４７ａ’との間に立て付ける内槽２の前後方向で対に備える四本の垂下シャフト３ａ，３ｂ、３ａ’，３ｂ’（図１並びに図２参照）で一体に連結されている。なお、上述したスライドリングを含むガイドポストも外槽１の前後方向で対４９ａ，４９ｂ，４９ａ’４９ｂ’（図１並びに図２参照）に備え付けられている。
【００１７】
上述した構成中、スクリューシャフト４０，４０’とナット部材４３，４３’との組合せとしてはリード転造ボールねじを組み付けるようにできる。また、ナット部材４３，４３’は左右の屈伸リンクをサイドフレーム４１，４１’の底板４１ａ，４１ａ’との間に取り付けることから安定よく昇降動可能なパンタグラフ構造のものとして備え付けられる。
【００１８】
内槽２の進退駆動機構５は、図４で示す（片側のみ図示）ようにベアリング軸受５１ａ，５１ｂを立上りプレート４７の上部フランジ４７ａで前後端寄りに取付け固定し、スクリューシャフト５０を内槽２の前後方向で水平に配置させてベアリング軸受５１ａ，５１ｂで回転可能に軸承することにより構成されている。
【００１９】
そのスクリューシャフト５０には、垂下シャフト３ａ，３ｂの軸上端を軸受けするナット部材５２ａ，５２ｂが軸線に沿って移動可能に螺合装着されている。また、立上りプレート４７の上部フランジ４７ａに取付け固定する可逆モータ５３が動力として備え付けられている。
【００２０】
可逆モータ５３は、スクリューシャフト５０のウォームと噛合するウォームギヤ５４をモータ軸に備えてスクリューシャフト５０を回動するよう組み付けられている。この他に、ナット部材５２ａ，５２ｂの移動位置を規制するストッパ５５ａ，５５ｂがスクリューシャフト５０の軸線上に嵌装させて立上りプレート４７の上部フランジ４７ａに取付け固定されている。
【００２１】
なお、スクリューシャフト５０’に付随する構成部材は図示しないが、上述した構成部材と同じものが同様に備え付けられる。可逆モータ４４，５３の操作スイッチは、サイドフレーム４１，４１’を覆うアッパーカバー（図示せず）等に備え付けられる。可逆モータ４４，５３は、ステッピングモータ等の応用や所定の回路設計で正転，逆転作動乃至は停止制御可能に備え付けられる。
【００２２】
このように構成する浴槽においては、可逆モータ４４，４４’をスイッチ操作で内槽２の上昇モードに同期起動すると、ギヤ４５ａ，４５ｂ、４５ａ’，４５ｂ’を介してスクリューシャフト４０，４０’が回動することにより、図５並びに図６で示すようにナット部材４３，４３’がスクリューシャフト４０，４０’の軸線に沿って上昇動すると共に、ナット部材４３，４３’が立上りプレート４７，４７’を同調上昇させる。
【００２３】
そのナット部材４３，４３’が立上りプレート４７，４７’を同調上昇させると、載置パレット３が垂下シャフト３ａ，３ｂ、３ａ’，３ｂ’で持ち上げられるため、内槽２が外槽１の上端縁まで上昇動する。その内槽２を下降させるときは、可逆モータ４４，４４’を別のスイッチ操作で内槽２の下降モードに同期させて起動し、スクリューシャフト４０，４０’を逆回動させればよい。
【００２４】
上述した内槽２の上昇後、内槽２を前部底で外槽１の前部フランジに掛け渡すまで前進動するよう可逆モータ５３をスイッチ操作すると、スクリューシャフト５０がウォームギヤ５４を介して回動し、図７で示すように垂下シャフト３ａ，３ｂの軸上端を軸受けするナット部材５２ａ，５２ｂがスクリューシャフト５０の軸線に沿って移動すると共に、垂下シャフト３ａ，３ｂが内槽の載置パレット３を移動することにより、内槽２が前部底を外槽１の前部フランジに掛け渡すまで前進動する。
【００２５】
その内槽２の前進状態では、図８で示すように載置パレット３の前端側が外槽１の前壁に当接することから停止位置を規制できる。この内槽２の上昇，前進状態では、図９で示すように介護者が略立ち姿勢のままで入浴者を内槽２に出し入れでき、また、入浴者を内槽２の内側に座らせたままで体を楽に洗い流せる。
【００２６】
その内槽２を退却動させるときは、可逆モータ５３を別のスイッチ操作で起動し、スクリューシャフト５３を逆回動させればよい。この内槽２の昇降乃至は前後動に際しては、可逆モータ４４，４４’、５３の回転数を適度に保つことから内槽２を低速で上げ下げしまたは前進，後退動させるとよい。
【００２７】
その入浴にあたり、まず、体を温め、次に、体を洗い、再度、体を温める如く入浴させる場合、入浴者を内槽２に一旦乗せれば、まず、体を温めるにも、可逆モータ５３から可逆モータ４４，４４’の順に逆に駆動させて内槽２を退却，降下し、一方、可逆モータ４４，４４’から可逆モータ５３の順に駆動させて内槽２を上昇，前進することから全てを行なえる。また、内槽２を上昇すれば、入浴者を洗い場に出なくても、体を内槽２の内側で洗えるため、介護者が入浴者を抱えて出し入れする労力を省ける。
【００２８】
上述した実施の形態は、要介護者を主体に説明したが、常人が一般家庭で内槽２を降下させたまま入浴すれば、要介護者と兼用で使用するようにもできる。また、外槽１を含む槽全体を載置する基枠フレーム６（図１参照）をギヤボックス４６，４６’と一体に設け、四個のキャスター７ａ，７ｂ、７ａ’（図１並びに図３）を備えることにより移動式の浴槽としても構成できる。
【００２９】
【発明の効果】
以上の如く、本発明に係る浴槽に依れば、上部側を開放した外槽と、上部並びに前部側を開放した内槽と、内槽を外槽の槽内に収容支持する載置パレットとを備え、内槽の昇降駆動機構を外槽と内槽載置パレットとの間に組み付けると共に、内槽の進退駆動機構を内槽載置パレットと昇降駆動機構との間に組み付け、内槽を外槽の槽内底から槽内上部まで上昇動し乃至は槽内上部から槽内底まで下降動し、また、外槽の槽内上部に位置する内槽を前部底で外槽の前部フランジに掛け渡すまで前進し乃至は前進位置から外槽の槽内上部まで退却動することにより、要介護者の入浴用に供し、介護者が入浴者を浴槽から抱えて出入れする等の作業を省けて要介護者の入浴介護を楽に行なえる。
【図面の簡単な説明】
【図１】本発明に係る浴槽を正面から示す断面図である。
【図２】図１の浴槽を示す平面図である。
【図３】図１の浴槽を示す側面図である。
【図４】図１の浴槽を図１のＡ−Ａ線で示す断面図である。
【図５】図１の浴槽における内槽の上昇状態を正面から示す断面図である。
【図６】図５の浴槽における内槽の上昇状態を示す側面図である。
【図７】図５の浴槽における内槽の前進状態を図５のＢ−Ｂ線で示す断面図である。
【図８】図７の浴槽における内槽の前進状態を示す側面図である。
【図９】図１の浴槽を使用状態で示す説明図である。
【符号の説明】
１                外槽
２                内槽
３                内槽載置パレット
４                内槽の昇降駆動機構
４０，４０’      縦軸スクリューシャフト
５                内槽の進退駆動機構
５０，５０’      横軸スクリューシャフト
【図１】
2004267503.tif 000003
【図２】
2004267503.tif 000004
【図３】
2004267503.tif 000005
【図４】
2004267503.tif 000006
【図５】
2004267503.tif 000007
【図６】
2004267503.tif 000008
【図７】
2004267503.tif 000009
【図８】
2004267503.tif 000010
【図９】
2004267503.tif 000011